(57)【要約】【課題】  コンピュータ又は周辺機器のケーブル及び接続端子が無理に折り曲げられることにより破損するのを防ぎ、放熱効果が高くて耐久性に富むコンピュータのケーブル整理枠を提供すること。【解決手段】  サーバコンピュータ４のケーブル７を収納する枠体１、及び、枠体１とラック２を接続する伸縮アーム５を備え、枠体１は、垂直部分が背板１１となり、水平部分が底板１２となるよう金属板を折り曲げて成り、背板１１の両側端部にケーブルを挿通する穿通孔１１０を形成し、背板及１１び底板１２に複数の放熱孔１３を穿設し、枠体１の両側端に、ラック２の内部両側に設置されたマウントレール２１と係合する係合部１４を取付け、サーバコンピュータ４の移動に伴い枠体１をマウントレール２１に沿って摺動させる弾性部品３を係合部１４に連結する。【選択図】          図３
0003108772.tif 000002
【実用新案登録請求の範囲】
【請求項１】
コンピュータ用ラック内において、出し入れ可能に収納されたコンピュータ又は周辺機器の背後に設置され、ケーブルを収納する枠体、及び、該枠体と前記ラックの後部とを接続する伸縮アームを備え、前記枠体は、垂直部分が背板となり、水平部分が底板となるよう金属板を折り曲げて成り、前記背板の両側端部に前記ケーブルを挿通する穿通孔を形成し、前記背板及び底板に複数の放熱孔を穿設し、前記枠体の両側端には、前記ラックの内部両側に設置されて前記コンピュータ又は周辺機器を案内するマウントレールと係合する係合部を取り付け、前記コンピュータ又は周辺機器の移動に連動して前記枠体を前記マウントレールに沿って摺動させる伸縮可能な弾性部材を、前記係合部に連結したことを特徴とするコンピュータのケーブル整理枠。
【請求項２】
前記伸縮アームは、連結棒ヒンジにより２本の連結棒を折り畳み可能に連結して成り、前記連結棒は１辺が開口した四角形断面を有し、前記伸縮アームの一端は、ラックヒンジにより前記ラックの後側部に軸着され、前記伸縮アームの他端は、背板ヒンジにより前記枠体の背板に軸着された請求項１に記載のコンピュータのケーブル整理枠。
【請求項３】
前記弾性部材の一端は前記枠体の係合部に固定されると共に、他端は前記ラックの前端両側に固定された請求項１又は２に記載のコンピュータのフレーム整理枠。
【考案の詳細な説明】
【技術分野】
【０００１】
本考案は、床設置型ラックに引き出し可能に収納された工業用サーバコンピュータ又は周辺機器のケーブルを、乱雑にならないよう整理するのに好適なコンピュータのケーブル整理枠に関する。
【背景技術】
【０００２】
一般的なコンピュータや通信機材、またはその他電子機器は、その整理及び操作上の利便性のため、ラック内に収納されている。この内、工業用サーバコンピュータは、構造が複雑で周辺設備も多いため、大半が床設置型のラック内に収納されている。
床設置型のラック内部には、複数台のサーバコンピュータや周辺機器（ホストコンピュータ、モニタ、データベースサーバ等）を、引き出し可能に、又は固定式ボード上に設置した状態で設けてある。引き出し可能とする場合には、サーバコンピュータ、周辺機器、或いは、これらを載せた引き出し式ボードの両側にレールを設け、ラック内部の両側にはこれらレールに対応したマウントレールを配設し、必要に応じてサーバコンピュータや周辺機器をラックから出し入れするようになっている。
【０００３】
また、工業用サーバコンピュータは、信号ケーブル、フラットケーブル、データ接続ケーブル、電源ケーブル等、使用するケーブルが通常のコンピュータに比べて格段に多く、従来は、束線バンドでケーブルを直接ラックフレームに固定する方法により整理していた。しかも、ケーブルの一端に設けた接続端子、プラグ等の接続端は全てボードの後方に集中し、ケーブルが必要以上に長くて余った場合には、余った部分を固定せずにぶら下げてあった。
すると、固定していないケーブルがラックの背板とボードとの間に挟まれたり、ケーブルどうしが絡んだりしやすく、サーバーコンピュータをラックから引き出す際に強く引っ張ると、ケーブル、基板、ホストコンピュータ等の接続個所が破損する虞がある。
【０００４】
さらに、サーバコンピュータ後方の背板上には放熱ファンが設置されており、サーバコンピュータをラック内に収納した時、その接続端子とケーブルが放熱ファンの通風口を塞いでしまう心配もある。
このような状態になると、工業用コンピュータを駆動した際に発生する熱気が円滑に排出されなくなったり、接続端子とケーブルが放熱ファンの羽根に引っかかり、放熱ファンが停止してしまい、この結果、ホストコンピュータ、基板等の各種装置に放熱不良が生じ、故障の原因となる。
【考案の開示】
【考案が解決しようとする課題】
【０００５】
本考案が解決しようとする課題は、コンピュータ又は周辺機器のケーブル及び接続端子が無理に折り曲げられることにより破損するのを防ぎ、放熱効果が高くて耐久性に富むコンピュータのケーブル整理枠を提供することにある。
【課題を解決するための手段】
【０００６】
本考案のコンピュータのケーブル整理枠は、コンピュータ用ラック内において、出し入れ可能に収納されたコンピュータ又は周辺機器の背後に設置され、ケーブルを収納する枠体、及び、該枠体と前記ラックの後部とを接続する伸縮アームを備え、前記枠体は、垂直部分が背板となり、水平部分が底板となるよう金属板を折り曲げて成り、前記背板の両側端部にケーブルを挿通する穿通孔を形成し、前記背板及び底板に複数の放熱孔を穿設し、前記枠体の両側端には、前記ラックの内部両側に設置されて前記コンピュータ又は周辺機器を案内するマウントレールと係合する係合部を取り付け、前記コンピュータ又は周辺機器の移動に連動して前記枠体を前記マウントレールに沿って摺動させる伸縮可能な弾性部材を、前記係合部に連結してある。
【０００７】
前記伸縮アームは、連結棒ヒンジにより２本の連結棒を折り畳み可能に連結して成り、前記連結棒は１辺が開口した四角形断面を有し、前記伸縮アームの一端は、ラックヒンジにより前記ラックの後側部に軸着し、前記伸縮アームの他端は、背板ヒンジにより前記枠体の背板に軸着しても良い。
前記弾性部材の一端を前記枠体の係合部に固定し、他端を前記ラックの前端両側に固定することも可能である。
【考案の効果】
【０００８】
本考案のコンピュータのケーブル整理枠は、コンピュータ用ラック内において複数のコンピュータ及び周辺機器の背後に設置し、そのケーブルを枠体内に収納することにより、ケーブル及び接続端子が無理に折り曲げられたり引っ張られることにより破損するのを防ぐことができ、高い放熱効果が得られると共に、耐久性が高まって耐用年数を延長することができる。
【考案を実施するための最良の形態】
【０００９】
以下、本考案の実施例を図面に基づいて詳細に説明する。
【実施例１】
【００１０】
図１乃至図４は、床設置型ラック内に収納された工業用サーバコンピュータのケーブル整理枠である実施例１を示す。
本考案のケーブル整理枠は、図３に示すように、床設置型ラック２内においてサーバコンピュータ４の背後に設置され、枠体１と伸縮アーム５とを備える。
ラック２の前面は開口しており、ラック２の内部両側の対向する位置には、サーバコンピュータ４を案内するマウントレール２１がそれぞれ前後方向に沿って配設されている。そして、サーバコンピュータ４をマウントレール２１に沿って移動させて、ラック２の前面から引き出したり、ラック２内へ押し戻せるようになっている。
【００１１】
枠体１は、図１及び図２に示すように、金属板を断面略Ｌ字状に折り曲げて成り、側面から見ると左右のマウントレール２１間の距離とほぼ等しい長さの細長い形状に形成してある。そして、Ｌ字状に折り曲げた金属板の垂直部分が枠体１の背板１１となり、水平部分が枠体１の底板１２となる。
また、背板１１及び底板１２には円形の放熱孔１３を複数個穿設し、背板１１の両側部には長方形の穿通孔１１０を設けてある。
さらに、枠体１の両側端には、マウントレール２１と係合する係合部１４を取り付けると共に、各係合部１４の内側側面には、適宜長さの伸縮性を有する弾性部品３の一端を固定してある。
【００１２】
伸縮アーム５は、図３に示すように、連結棒ヒンジ５２により２本の連結棒５３，５４を折り畳み可能に連結して成る。
連結棒５３，５４は、一辺が開口した四角形断面を有し、伸縮アーム５の一端はラックヒンジ５０によりラック２の後側部に軸着されると共に、他端は背板ヒンジ５１により、枠体１の背板１１において、穿通孔１１０と接近した位置に軸着されている。
【００１３】
図４に示すように、枠体１は、背板１１をラック２の後部に向けた状態で、サーバコンピュータ４の背後において、同じマウントレール２１上に設置される。また、一端が係合部１４に固定された弾性部品３の他端は、サーバコンピュータ４の背面に固定される。
サーバコンピュータ４の背面には、各種の異なる接続端子６及びケーブル７が設けられ、これらの接続端子６及びケーブル７が後方へ突出している。そして、接続端子６及びケーブル７は枠体１内に配置され、ケーブル７はさらに枠体１の穿通孔１１０を通して後方へ延び、伸縮アーム５の内部を通過する。
【００１４】
枠体１は、弾性部品３によってサーバコンピュータ４と接続されているので、サーバコンピュタ４の移動に連動して、マウントレール２１に沿って摺動する。サーバコンピュータ４から後方に延びるケーブル７の重量は枠体１によって支持され、サーバコンピュータ４がラック２の前方に引き出されても、ケーブル７が引っ張られて接続端子６や基板が破損する心配がない。
【００１５】
サーバコンピュータ４をラック２の奥まで押し込んでも、伸縮アーム５の連結棒５３，５４が枠体１とラック２の背面との間に介在されて、サーバコンピュータ４の接続端子６に直接伸縮アーム５やラック２が触れることはないので、接続端子６を保護することができる。
また、サーバコンピュータ４をスライドさせると、この移動に伴ってケーブル７の折れ曲がり角度も変化するので、ケーブル７が動くための空間を与える必要があるが、サーバコンピュータ４と枠体１とを弾性部品３で連結したことにより、サーバコンピュータ４の後方にケーブル７が移動できる空間を確保し、サーバーコンピュータ４と枠体１との距離が適当に変化して、ケーブル７が折り曲げられたり引っ張られたりする時に発生する応力を減ずることができ、この結果、サーバコンピュータ４の出し入れを円滑に行うことが可能となる。
【００１６】
さらに、サーバコンピュータ４をラック２内に押し込んだ時に、サーバコンピュータ４とラック２背面との間に枠体１が介在され、しかも、枠体１の背板１１及び底板１２に放熱孔１３が形成されているので、気流の円滑な流れが確保されて、高い放熱効果が得られる。
【実施例２】
【００１７】
図５は、実施例２を示す。
左右の弾性部品３の一端は、枠体１の係合部１４の上面に固定されると共に、他端はラック２の前部側端に固定される。このため、サーバコンピュータ４をラック２から引き出したり押し戻す時に、枠体１に影響されず、安定性が増す。
その他の構成は実施例１とほぼ同様なので、同一部分に同一符号を付して、詳細な説明を省略する。
なお、本考案のケーブル整理枠は、ラック２内に引き出し可能に収納された周辺機器の背後に設置することも可能である。
【図面の簡単な説明】
【００１８】
【図１】実施例１に係る枠体及び弾性部品の分解斜視図。
【図２】実施例１に係る枠体及び弾性部品の組立斜視図。
【図３】実施例１を示すケーブル整理枠の斜視図。
【図４】実施例１を示すケーブル整理枠の要部断面図。
【図５】実施例２を示すケーブル整理枠の要部斜視図。
【符号の説明】
【００１９】
１  枠体
２  ラック
３  弾性部品
４  サーバコンピュータ
５  伸縮アーム
６  接続端子
７  ケーブル
１１  背板
１２  底板
１３  放熱孔
１４  係合部
２１  マウントレール
５０  ラックヒンジ
５１  背板ヒンジ
５２  連結棒ヒンジ
５３，５４  連結棒
１１０  穿通孔
【図１】
0003108772.tif 000003
【図２】
0003108772.tif 000004
【図３】
0003108772.tif 000005
【図４】
0003108772.tif 000006
【図５】
0003108772.tif 000007
【手続補正書】
【提出日】平成17年1月6日(2005.1.6)
【手続補正１】
【補正対象書類名】実用新案登録請求の範囲
【補正対象項目名】請求項３
【補正方法】変更
【補正の内容】
【請求項３】
前記弾性部材の一端は前記枠体の係合部に固定されると共に、他端は前記ラックの前端両側に固定された請求項１又は２に記載のコンピュータのケーブル整理枠。